(57)【要約】  携帯電話１が、電子メールの作成画面を表示し、該携帯電話１が備えるワンタッチキーが押下げられると、ワンタッチキーＤＢ１３から該ワンタッチキーに対応する電子メールの宛先を取得して該電子メールに設定する。そして、数字キーが押下げられると、携帯電話１が、例文ＤＢ１４から該数字キーに対応する電子メールの本文を取得して該電子メールに設定し、該電子メールを上記電子メールの宛先に対して送信する。
2009001457.tif 000002
【特許請求の範囲】
【請求項１】
携帯端末における電子メールの送信方法であって、
電子メールの作成画面を表示し、
前記携帯端末が備えるワンタッチキーの押下げを検知し、
予め記憶手段に記憶された、ワンタッチキーと電子メールの宛先情報との対応情報を参照して、前記押下げが検知されたワンタッチキーに対応する電子メールの宛先と、該宛先に対応する名前とを取得し、
該取得された電子メールの宛先に対応する名前を前記電子メールの作成画面に設定し、
該電子メールの本文を作成し、
該電子メールを前記取得された該電子メールの宛先に送信する
ことを特徴とする電子メール送信方法。
【請求項２】
請求項１に記載の電子メール送信方法において、
前記電子メールの本文の作成は、
前記携帯端末が備える数字キーの押下げを検知し、
予め記憶手段に記憶された、数字キーと電子メールの本文との対応情報を参照して、前記押下げが検知された数字キーに対応する電子メールの本文を取得し、
該取得された電子メールの本文を前記電子メールの作成画面に設定する
ことを特徴とする電子メール送信方法。
【請求項３】
請求項２に記載の電子メール送信方法において、
前記電子メールの本文の作成は、
前記取得された電子メールの本文中に、前記電子メールの作成画面に設定された前記電子メールの宛先に対応する名前を設定し、
該名前が設定された電子メールの本文を前記電子メールの作成画面に設定する
ことを特徴とする電子メール送信方法。
【請求項４】
携帯端末であって、
電子メールの作成画面を表示する手段と、
前記携帯端末が備えるワンタッチキーの押下げを検知する手段と、
予め記憶手段に記憶された、ワンタッチキーと電子メールの宛先情報との対応情報を参照して、前記押下げが検知されたワンタッチキーに対応する電子メールの宛先と、該宛先に対応する名前とを取得する手段と、
該取得された電子メールの宛先に対応する名前を前記電子メールの作成画面に設定する手段と、
該電子メールの本文を作成する手段と、
該電子メールを前記取得された該電子メールの宛先に送信する手段とを備える
ことを特徴とする携帯端末。
【請求項５】
請求項４に記載の携帯端末が、更に、
前記携帯端末が備える数字キーの押下げを検知する手段を備え、
前記電子メールの本文を作成する手段が、
予め記憶手段に記憶された、数字キーと電子メールの本文との対応情報を参照して、前記押下げが検知された数字キーに対応する電子メールの本文を取得し、該取得された電子メールの本文を前記電子メールの作成画面に設定する
ことを特徴とする携帯端末。
【請求項６】
請求項５に記載の携帯端末において、
前記電子メールの本文を作成する手段が、
前記取得された電子メールの本文中に、前記電子メールの作成画面に設定された前記電子メールの宛先に対応する名前を設定し、該名前が設定された電子メールの本文を前記電子メールの作成画面に設定する
ことを特徴とする携帯端末。
【発明の詳細な説明】
【技術分野】
【０００１】
本発明は、携帯端末及び電子メール送信方法に関し、特に、電子メールの作成時に、ワンタッチキーの操作によって簡易に電子メールの宛先を設定し、該電子メールを送信する電子メール送信方法及び携帯端末に関する。
【背景技術】
【０００２】
従来の携帯電話では、携帯電話のユーザが電子メールの宛先のメールアドレスを入力するためには、ユーザが、該メールアドレスを直接入力するか、メールアドレスが記憶された電話帳を画面表示させた上で、宛先のメールアドレスを選択する操作を行っていた。【０００３】
また、従来、ワンタッチキーを備える携帯電話は存在したが、ユーザが電子メールを送信するためには、以下のような操作が必要であった。すなわち、ユーザが、ワンタッチキーを押すと、該ワンタッチキーに対応付けられて予め登録された者（送信先）の名前、電話番号、メールアドレスが画面表示される。次に、ユーザは、上記名前の送信先に電子メールを送信するか、電話をかけるかを選択する操作を行う。ユーザが、電子メールの送信を選択すると、電子メールを作成するためのメニュー画面が表示され、ユーザは、該メニュー画面を参照しながらキー操作して電子メール本文を作成し、該電子メールを送信する。【０００４】
なお、下記の特許文献１は、不在着信についての発信元番号とワンタッチキーに割り当てられた電話番号と照合し、未読メールについての送信元メールアドレスをワンタッチキーに割り当てられた電子メールアドレスとを照合し、ユーザがワンタッチキーを操作した場合に、上記照合結果に基づいて、通話プログラム及びメールプログラムのいずれかを起動する携帯電話機について記載している。
【特許文献１】特開２００６−３１９５２５号公報
【発明の開示】
【発明が解決しようとする課題】
【０００５】
携帯電話の特定のキーに対応付けて電子メールの宛て先が設定されていない場合に、電子メールを作成するときには、上述した従来技術のように、メールアドレスを直接入力するか、一旦電話帳を表示させた上でメールアドレスを選択するしかない。しかし、最近は電話帳の登録件数が増大しているため、ユーザが、電話帳に登録された膨大な数（例えば、数百件）のメールアドレスの中から電子メールの送信先を探し出すことは困難であった。【０００６】
また、上述した、ワンタッチキーを備える携帯電話を用いた電子メールの送信では、電子メールの送信をするつもりの携帯電話のユーザにとっては、無用な操作を実行する必要がある。つまり、該ユーザは、電子メールの送信をするつもりであるのにもかかわらず、まず、ワンタッチキーを押すことによって該ワンタッチキーに対応付けられた送信先の名前、電話番号、メールアドレスを画面表示させる操作が必要となる。また、該ユーザは、上記名前の送信先に電子メールを送信するか、電話をかけるかを選択する操作をすることが必要となる。該名前、電話番号、メールアドレスを画面表示させる操作と、電子メールを送信するか、電話をかけるかを選択する操作は、該ユーザにとっては無用の操作である。そして、電子メールの送信の選択によって電子メールを作成するためのメニュー画面が表示されると、該ユーザは、該メニュー画面を参照しながらキー操作して電子メール本文を作成し、最後に、電子メールを送信するためのボタン（送信ボタン）を押下げる必要がある。【０００７】
本発明は、電子メールの作成時に、ワンタッチキーの操作によって簡易に電子メールの宛先を設定し、該電子メールを送信する電子メール送信方法の提供を目的とする。【０００８】
また、本発明は、電子メールの作成時に、ワンタッチキーの操作によって簡易に電子メールの宛先を設定し、該電子メールを送信する携帯端末の提供を目的とする。
【課題を解決するための手段】
【０００９】
本発明の電子メール送信方法は、携帯端末における電子メールの送信方法であって、電子メールの作成画面を表示し、前記携帯端末が備えるワンタッチキーの押下げを検知し、予め記憶手段に記憶された、ワンタッチキーと電子メールの宛先情報との対応情報を参照して、前記押下げが検知されたワンタッチキーに対応する電子メールの宛先と、該宛先に対応する名前とを取得し、該取得された電子メールの宛先に対応する名前を前記電子メールの作成画面に設定し、該電子メールの本文を作成し、該電子メールを前記取得された該電子メールの宛先に送信する。【００１０】
好ましくは、本発明の電子メール送信方法において、前記電子メールの本文の作成は、前記携帯端末が備える数字キーの押下げを検知し、予め記憶手段に記憶された、数字キーと電子メールの本文との対応情報を参照して、前記押下げが検知された数字キーに対応する電子メールの本文を取得し、該取得された電子メールの本文を前記電子メールの作成画面に設定する。【００１１】
好ましくは、本発明の電子メール送信方法において、前記取得された電子メールの本文中に、前記電子メールの作成画面に設定された前記電子メールの宛先に対応する名前を設定し、該名前が設定された電子メールの本文を前記電子メールの作成画面に設定する。【００１２】
また、本発明の携帯端末は、携帯端末であって、電子メールの作成画面を表示する手段と、前記携帯端末が備えるワンタッチキーの押下げを検知する手段と、予め記憶手段に記憶された、ワンタッチキーと電子メールの宛先情報との対応情報を参照して、前記押下げが検知されたワンタッチキーに対応する電子メールの宛先と、該宛先に対応する名前とを取得する手段と、該取得された電子メールの宛先に対応する名前を前記電子メールの作成画面に設定する手段と、該電子メールの本文を作成する手段と、該電子メールを前記取得された該電子メールの宛先に送信する手段とを備える。【００１３】
好ましくは、本発明の携帯端末が、更に、前記携帯端末が備える数字キーの押下げを検知する手段を備え、前記電子メールの本文を作成する手段が、予め記憶手段に記憶された、数字キーと電子メールの本文との対応情報を参照して、前記押下げが検知された数字キーに対応する電子メールの本文を取得し、該取得された電子メールの本文を前記電子メールの作成画面に設定する。【００１４】
また、好ましくは、本発明の携帯端末において、前記電子メールの本文を作成する手段が、前記取得された電子メールの本文中に、前記電子メールの作成画面に設定された前記電子メールの宛先に対応する名前を設定し、該名前が設定された電子メールの本文を前記電子メールの作成画面に設定する。
【発明の効果】
【００１５】
本発明の電子メール送信方法及び携帯端末は、電子メールの作成画面を表示した後、ワンタッチキーの押下げに応じて、該ワンタッチキーに対応する電子メールの宛先と該宛先に対応する名前とを記憶手段から取得する。そして、本発明の電子メール送信方法及び携帯端末は、取得された電子メールの宛先に対応する名前を電子メールの作成画面に設定し、該電子メールの本文を作成し、該電子メールを上記取得された該電子メールの宛先に送信する。また、本発明の電子メール送信方法及び携帯端末は、押下げられた数字キーに対応する電子メールの本文を記憶手段から取得し、該電子メールの本文を電子メールの作成画面に設定することで、該電子メールの本文を作成する。従って、本発明によれば、携帯電話のユーザが、ワンタッチキーの操作によって簡易に電子メールの宛先を設定し、数字キーの操作によって簡易に電子メールの本文を作成して、該電子メールを送信することができる。例えば、ユーザは、ワンタッチキーを押下げる操作、数字キーを押下げる操作、電子メールを送信するためのボタン（送信ボタン）を押下げる操作を行うだけで、電子メールの送信先に該電子メールを送信することができる。その結果、電子メールを作成する時の、ユーザの操作回数を削減することができる。【００１６】
また、本発明の電子メール送信方法及び携帯端末は、取得した電子メールの本文中に、ワンタッチキーの押下げに応じて電子メールの作成画面に設定された電子メールの宛先に対応する名前を設定して、電子メールの本文を作成する。例えば、本発明は、数字キーに対応する電子メールの本文として、電子メールの宛先に対応する名前が設定されるべき領域（名前設定領域）を持つ本文を記憶手段に予め記憶させておき、数字キーの押下げをトリガとして該記憶手段内から該数字キーに対応する本文を取得するとともに、電子メールの作成画面に設定されている宛先の名前を上記本文中の名前設定領域に設定して、電子メールを自動的に作成することが可能となる。その結果、数字キーに対応付けて特定の送信先宛の本文を記憶させておかなくても、ワンタッチキーの押下げと数字キーの押下げに応じて、該電子メールの宛先に対する本文を自動的に作成することができる。
【図面の簡単な説明】
【００１７】
【図１】本発明の携帯端末の外観の一例を示す図である。
【図２】携帯電話の機能ブロック図の例である。
【図３】メール／電話選択画面の例を示す図である。
【図４】電子メールの作成画面の例を示す図である。
【図５】電子メールの種類の選択画面の例を示す図である。
【図６】ワンタッチキーＤＢのデータ構成例を示す図である。
【図７】例文ＤＢのデータ構成例を示す図である。
【図８】例文ＤＢのデータ構成例を示す図である。
【図９】メール作成部による電子メール作成処理フローの一例を示す図である。
【図１０】電子メールの作成画面の例を示す図である。
【図１１】電子メールの作成画面及び電子メール送信時の表示画面の表示例を示す図である。
【符号の説明】
【００１８】
１  携帯電話
１０  入力キー
１１  キー入力検出部
１２  メール作成部
１３  ワンタッチキーＤＢ
１４  例文ＤＢ
１２１  画面表示部
１２２  メールデータ作成部
１２３  宛先取得部
１２４  名前取得部
１２５  例文取得部
１２６  メール送信部
１００  ワンタッチキー
１０１  数字キー
１０２  ＭＥＮＵキー
１０３  終了キー
１０４  表示画面
１０５  ＴＶキー
１０６  カメラキー
１０７  カーソルキー
１０８  選択キー
２００  宛先設定領域
２０２  タイトル設定領域
２０３  本文設定領域
【発明を実施するための最良の形態】
【００１９】
図１は、本発明の携帯端末の外観の一例を示す図である。図１では、本発明の携帯端末として、携帯電話１を例にとって説明する（他の図においても同様である）。携帯電話１は、周知のように、通常の電話の機能と電子メールの機能とを備える。【００２０】
図１に示す携帯電話１は、各々が「１」、「２」、「３」というワンタッチキー番号に対応する３個のワンタッチキー１００と、０〜９までの数字に各々が対応する１０個の数字キー１０１とを備える。また、図１中、１０２は、携帯電話１の操作メニューを画面表示するためのキーであるＭＥＮＵキー、１０３は携帯電話１の操作を終了するためのキーである終了キー、１０４は携帯電話１の表示画面である。携帯電話１は、図１に示すように、ワンタッチキー１００、数字キー１０１、ＭＥＮＵキー１０２、終了キー１０３以外の様々な入力キーを備える。例えば、携帯電話１は、テレビ放送を表示画面１０４上に表示させるための入力キーであるＴＶキー１０５、携帯電話１をカメラ撮影モードに切り替えるための入力キーであるカメラキー１０６、表示画面１０４に表示される様々な設定対象にカーソルを移動させるためのキーであるカーソルキー１０７、カーソルキーの位置にある設定対象を選択するためのキーである選択キー１０８等を備える。【００２１】
携帯電話１が備えるワンタッチキー１００と数字キーの数は、限定されるものではなく、携帯電話１が、任意の数のワンタッチキー１００と数字キー１０１とを備えるようにしてもよい。【００２２】
図２は、図１に示す携帯電話の機能ブロック図の例である。携帯電話１は、入力キー１０、キー入力検出部１１、メール作成部１２、ワンタッチキーデータベース（ＤＢ）１３、例文データベース（ＤＢ）１４を備える。【００２３】
入力キー１０は、図１を参照して前述した、ワンタッチキー１００、数字キー１０１、ＭＥＮＵキー１０２、終了キー１０３、ＴＶキー１０５、カメラキー１０６、カーソルキー１０７、選択キー１０８等の入力キーである。携帯電話１のユーザは、例えば、入力キー１０を押下げることによって、携帯電話１の操作情報を入力する。すなわち、入力キー１０は、携帯電話１の操作情報の入力手段である。【００２４】
キー入力検出部１１は、入力キー１０の押下げを検知（操作情報の入力を検知）する。すなわち、キー入力検出部１１は、携帯端末（携帯電話１）が備えるワンタッチキー１００の押下げを検知する手段である。また、キー入力検出部１１は、携帯端末（携帯電話１）が備える数字キー１０１の押下げを検知する手段である。【００２５】
メール作成部１２は、キー入力検出部１１による入力キー１０の押下げの検知結果に応じて、電子メールの宛先を特定するとともに、該電子メールの本文を作成し、該電子メールを該宛先に送信する。【００２６】
ワンタッチキーＤＢ１３には、図１に示すワンタッチキー１００の各々と電子メールの宛先情報との対応情報が予め記憶されている。電子メールの宛先情報は、該電子メールの宛先を示す情報であり、例えば、該電子メールの送信先のメールアドレス、該電子メールの送信先の電話番号、該電子メールの送信先となる者の名前である。例文ＤＢ１４には、図１に示す数字キー１０１の各々と電子メールの本文との対応情報が予め記憶されている。本発明の一実施形態によれば、例文ＤＢ１４には、数字キーと電子メールの本文のタイトル及び電子メールの本文との対応情報が予め記憶されている。【００２７】
メール作成部１２は、画面表示部１２１、メールデータ作成部１２２、宛先取得部１２３、名前取得部１２４、例文取得部１２５、メール送信部１２６を備える。【００２８】
画面表示部１２１は、メールデータ作成部１２２の指示を受けて、図１に示す携帯電話１の表示画面１０４上に、電子メールの作成に必要な各種の情報を画面表示する。具体的には、画面表示部１２１は、電子メールの作成画面を表示する。電子メールの作成画面は、電子メールを作成するための画面である。すなわち、画面表示部１２１は、電子メールの作成画面を表示する手段である。【００２９】
例えば、図１に示すＭＥＮＵキー１０２の押下げをキー入力検出部１１が検出し、検出結果をメールデータ作成部１２２が受けると、画面表示部１２１は、メールデータ作成部１２２の指示を受けて、例えば、図３に示すような、電子メールを作成するか、電話をかけるかを選択する画面（メール／電話選択画面）を表示する。図３のメール／電話選択画面上に示す網かけ部分はカーソルである。ユーザが、例えば図１に示すカーソルキー１０７及び選択キー１０８を操作（押下げ）して、メール／電話選択画面上で電子メールを作成することを選択すると、画面表示部１２１は、例えば図４に示すような電子メールの作成画面を表示する。【００３０】
なお、本発明の一実施形態によれば、表示画面１０４上に図３に示すような選択画面が表示された後、電子メールの作成が選択されると、画面表示部１２１が、メールデータ作成部１２２の指示に従って、図５に示すような、電子メールの種類の選択画面を表示するようにしてもよい。また、ユーザの指定入力に従って、該電子メールの種類が選択されると、画面表示部１２１が、前述した図４に示すような電子メールの作成画面を表示するようにしてもよい。【００３１】
上記図５に示す電子メールの種類のうち、例えば、種類１はメールアドレスを宛先とする電子メールを示し、種類２は電話番号を宛先とする電子メールを示す。電話番号を宛先とする電子メールは、例えば、ショートメッセージサービスによる電子メールである。【００３２】
メールデータ作成部１２２は、画面表示部１２１に指示して、電子メールの作成に必要な各種の情報を画面表示させる。例えば、メールデータ作成部１２２は、画面表示部１２１に指示して、表示画面１０４上に電子メールの作成画面を表示させる。【００３３】
また、メールデータ作成部１２２は、キー入力検出部１１が図１に示すワンタッチキー１００の押下げを検知すると、宛先取得部１２３に指示して、該押下げが検知されたワンタッチキーに対応する電子メールの宛先と該宛先に対応する名前をワンタッチキーＤＢ１３から取得させる。【００３４】
具体的には、メールデータ作成部１２２は、キー入力検出部１１によって押下げが検知されたワンタッチキー１００のワンタッチキー番号（図１に示すワンタッチキー１００の例では、１〜３までの番号のうちのいずれかの番号）を所定のバッファ内に記憶する。そして、メールデータ作成部１２２は、該所定のバッファ内に記憶されたワンタッチキー番号を宛先取得部１２３に送信して、該ワンタッチキー番号に対応する電子メールの宛先（例えば、メールアドレス）と該宛先に対応する名前をワンタッチキーＤＢ１３から取得させる。すなわち、メールデータ作成部１２２及び宛先取得部１２３は、予め記憶手段（ワンタッチキーＤＢ１３）に記憶された、ワンタッチキーと電子メールの宛先情報との対応情報を参照して、前記押下げが検知されたワンタッチキーに対応する電子メールの宛先と、該宛先に対応する名前とを取得する手段である。【００３５】
また、メールデータ作成部１２２は、上記取得された電子メールの宛先を該電子メールの送信先として設定するとともに、上記取得された電子メールの宛先に対応する名前を電子メールの作成画面に設定する。また、メールデータ作成部１２２は、電子メールの本文を作成する。【００３６】
本発明の一実施形態によれば、メールデータ作成部１２２は、前述した図５に示すような電子メールの種類の選択画面から選択された電子メールの種類に応じて、電子メールの宛先としてメールアドレスを取得するか、又は電話番号を取得するかを決定する。そして、メールデータ作成部１２２が、宛先取得部１２３に指示して、該決定されたメールアドレス又は電話番号を電子メールの宛先として取得させる。【００３７】
本発明の一実施形態によれば、キー入力検出部１１が数字キー１０１の押下げを検知すると、メールデータ作成部１２２は、例文取得部１２５に指示して、該押下げが検知された数字キーに対応する電子メールの本文を例文ＤＢ１４から取得させる。メールデータ作成部１２２は、該取得された電子メールの本文を上記電子メールの作成画面に設定することで、該電子メールの本文を作成する。すなわち、メールデータ作成部１２２及び例文取得部１２５は、予め記憶手段（例文ＤＢ１４）に記憶された、数字キーと電子メールの本文との対応情報を参照して、押下げが検知された数字キーに対応する電子メールの本文を取得し、該取得された電子メールの本文を電子メールの作成画面に設定する手段である。【００３８】
メールデータ作成部１２２は、例文取得部１２５に指示して、上記数字キーに対応する電子メールの本文とともに、該数字キーに対応する、本文のタイトルを例文ＤＢ１４から取得させ、該取得された電子メールの本文と該本文のタイトルとを該電子メールの作成画面に設定して、該電子メールを作成するようにしてもよい。【００３９】
本発明の一実施形態によれば、メールデータ作成部１２２が、名前取得部１２４に指示して、上記電子メールの作成画面に設定された上記電子メールの宛先に対応する名前を取得させる。具体的には、メールデータ作成部１２２は、前述した所定のバッファ内に記憶されたワンタッチキーの番号を名前取得部１２４に送信して、名前取得部１２４に、該ワンタッチキー番号に対応する名前をワンタッチキーＤＢ１３から取得させる。そして、メールデータ作成部１２２が、上記取得された電子メールの本文中に上記取得された名前を設定（又は格納）し、該名前が設定された電子メールの本文を上記電子メールの作成画面に設定する。【００４０】
メールデータ作成部１２２によって、電子メールの作成画面に、電子メールの宛先、該電子メールの本文が設定されると、送信すべき電子メールの作成が完了する。メールデータ作成部１２２によって、電子メールの作成画面に、電子メールの宛先、該電子メールの本文、該本文のタイトルが設定されると、送信すべき電子メールの作成が完了するようにしてもよい。【００４１】
なお、本発明の一実施形態によれば、メールデータ作成部１２２が、名前取得部１２４に対して電子メールの名前の取得を指示することなく、宛先取得部１２３によって取得されてメールデータ作成部１２２が電子メールの作成画面に設定した該電子メールの宛先に対応する名前を、該電子メールの本文中に設定するようにしてもよい。【００４２】
すなわち、メールデータ作成部１２２は、例文取得部１２５によって取得された電子メールの本文中に、電子メールの作成画面に設定された電子メールの宛先に対応する名前を設定し、該名前が設定された電子メールの本文を電子メールの作成画面に設定する手段である。【００４３】
宛先取得部１２３は、メールデータ作成部１２２の指示を受けて、ワンタッチキーＤＢ１３に予め記憶された、ワンタッチキーと電子メールの宛先情報との対応情報を参照して、該押下げが検知されたワンタッチキーに対応する電子メールの宛先を取得し、取得された電子メールの宛先をメールデータ作成部１２２に送信する。【００４４】
名前取得部１２４は、メールデータ作成部１２２の指示を受けて、上記電子メールの作成画面に設定された、上記電子メールの宛先に対応する名前（すなわち、押下げが検知されたワンタッチキー１００に対応する名前）を取得する。【００４５】
本発明では、例えば、上述した図４に示すような電子メールの作成画面が表示された時点で、ワンタッチキー１００の押下げをトリガとして、メールデータ作成部１２２が宛先取得部１２３に指示して該ワンタッチキー１００に対応するメールアドレスを例文ＤＢ１４から取得させ、数字キー１０１の押下げをトリガとして、メールデータ作成部１２２が例文取得部１２５に指示して該数字キー１０１に対応する電子メールの本文を例文ＤＢ１４から取得させるという動作モードが、メールデータ作成部１２２に設定される。【００４６】
例文取得部１２５は、メールデータ作成部１２２の指示を受けて、例文ＤＢ１４に予め記憶された、数字キーと電子メールの本文との対応情報を参照して、キー入力検出部１１によって押下げが検知された数字キーに対応する電子メールの本文を取得して、取得された電子メールの本文をメールデータ作成部１２２に送信する。本発明の一実施形態によれば、例文取得部１２５が、メールデータ作成部１２２の指示を受けて、例文ＤＢ１４に予め記憶された、数字キーと電子メールの本文のタイトル及び電子メールの本文との対応情報を参照して、キー入力検出部１１によって押下げが検知された数字キーに対応する電子メールの本文のタイトルと該電子メールの本文とを取得するようにしてもよい。【００４７】
メール送信部１２６は、作成が完了した電子メール（例えば、電子メールの作成画面に該電子メールの宛先、タイトル、本文が設定された電子メール）を該電子メールの宛先に送信する。【００４８】
図６は、ワンタッチキーＤＢのデータ構成例を示す図である。ワンタッチキーＤＢ１３には、例えば、ワンタッチキー番号毎に、名前、電話番号、メールアドレスが、該ワンタッチキー番号に対応付けて予め設定されている。ワンタッチキー番号は携帯電話１が備えるワンタッチキー１００の番号である。名前は電子メールの宛先に対応する名前である。電話番号は電子メールの宛先の電話番号である。メールアドレスは電子メールの宛先の電子メールアドレスである。【００４９】
図７は、例文ＤＢのデータ構成例を示す図である。例文ＤＢには、例えば、数字毎に、タイトル、本文、ＩＤが、該数字に対応付けて予め設定されている。数字は数字キー１０１が示す数字である。タイトルは電子メールのタイトルである。本文は電子メールの本文である。ＩＤは、例文ＤＢ１４の各レコード（一行分のデータ）を一意に識別する識別子である。なお、図７に示す例では、数字の項目に「ＦＦ」が設定されているレコードは、数字キー１０１の数字が設定されていないレコードを示す。【００５０】
本発明の一実施形態によれば、例文ＤＢ１４に、図８に示すようなデータが予め設定されている。すなわち、図８に示す例文ＤＢ１４の本文の項目には、「○○、・・・」のように、丸印で示される、宛先に対応する名前が設定されるべき領域（名前設定領域）を持つ本文が設定されている。本発明の一実施形態によれば、メールデータ作成部１２２が、例文取得部１２５によって図８に示す例文ＤＢ１４から取得された本文の名前設定領域に、名前取得部１２４が取得した電子メールの宛先に対応する名前を設定して、電子メールの本文を作成するようにしてもよい。【００５１】
図９は、メール作成部による電子メール作成処理フローの一例を示す図である。まず、画面表示部１２１が、電子メールの作成画面を表示する（ステップＳ１）。ステップＳ１においては、例えば、図１０（Ａ）に示すような電子メールの作成画面が表示される。図１０（Ａ）に示す電子メールの作成画面は、電子メールの宛先（図１０（Ａ）に示す例では、電子メールの宛先に対応する名前）を設定するための領域である宛先設定領域２００、電子メールの本文のタイトルを設定するための領域であるタイトル設定領域２０１、電子メールの本文を設定するための領域である本文設定領域２０２を有する。電子メールの宛先、該電子メールの本文のタイトル、該電子メールの本文は、電子メールを作成する処理における設定対象である。本発明の実施の形態においては、例えば、電子メールの宛先、電子メールの本文のタイトル、電子メールの本文の順に設定対象となる。なお、本発明の一実施形態によれば、電子メールの宛先、電子メールの本文を設定対象とするようにしてもよい。【００５２】
図１０（Ａ）における電子メールの作成画面中の網かけ部分は、設定対象を示すカーソルを示す。本発明の電子メール送信方法は、例えば、ワンタッチキー１００の押下げをトリガとして電子メールの宛先に対応する名前を宛先設定領域２００に設定した後に、数字キー１０１の押下げをトリガとして、該電子メールの本文のタイトルをタイトル設定領域２０１に設定するとともに、該電子メールの本文を本文設定領域２０２に設定する。従って、ステップＳ１において、画面表示部１２１は、図１０（Ａ）に示すように、第１番目の設定対象が電子メールの宛先であることを示すために、カーソルを宛先設定領域２００の位置に合わせて表示する。【００５３】
ユーザの操作に従って入力キー１０が押下げられると、キー入力検出部１１が、入力キー１０の押下げ（キー入力）を検出する（ステップＳ２）。メールデータ作成部１２２が、どの入力キー１０が押下げられたかを判断する（ステップＳ３）。【００５４】
メールデータ作成部１２２が、ワンタッチキー１００が押下げられたと判断した場合、メールデータ作成部１２２が、電子メールの作成画面において、カーソルが宛先設定領域２００の位置にあるか（有効なフォーカスか）を判断する（ステップＳ４）。メールデータ作成部１２２が、カーソルが宛先設定領域２００の位置にないと判断した場合は、上記ステップＳ２に戻る。メールデータ作成部１２２が、カーソルが宛先設定領域２００の位置にあると判断した場合は、メールデータ作成部１２２が、宛先取得部１２３に指示して、上記押下げられたワンタッチキー１００に対応する電子メールの宛先を取得させる（ステップＳ５）。例えば、ワンタッチキー番号が２であるワンタッチキー１００が押下げられた場合、宛先取得部１２３は、図６に示すワンタッチキーＤＢ１３を参照して、ワンタッチキー番号「２」に対応するメールアドレス"cdef@bb.com" と名前「田中さん」とを取得する。【００５５】
メールデータ作成部１２２は、宛先取得部１２３によって取得された電子メールの宛先を該電子メールの送信先として設定し（ステップＳ６）、上記ステップＳ２に戻る。メールデータ作成部１２２は、例えば、上記メールアドレス"cdef@bb.com" を該電子メールの送信先のメールアドレスとして設定するとともに、上記名前「田中さん」を電子メールの作成画面中の宛先設定領域２００に設定する。その結果、例えば、図１０（Ｂ）に示すように、電子メールの作成画面における宛先設定領域２００に名前「田中さん」が設定される。また、図１０（Ｂ）に示すように、メールデータ作成部１２２は、第２番目の設定対象（電子メールの本文のタイトル）が設定される領域である、タイトル設定領域２０１の位置にカーソルを移動させる。【００５６】
上記ステップＳ３において、メールデータ作成部１２２が、数字キー１０１が押下げられたと判断した場合、メールデータ作成部１２２が、電子メールの作成画面において、カーソルがタイトル設定領域２０１の位置にあるか（有効なフォーカスか）を判断する（ステップＳ７）。【００５７】
メールデータ作成部１２２が、カーソルがタイトル設定領域２０１の位置にないと判断した場合は、上記ステップＳ２に戻る。メールデータ作成部１２２が、カーソルがタイトル設定領域２０１の位置にあると判断した場合は、メールデータ作成部１２２が、宛先取得部１２３に指示して、上記押下げられた数字キーに対応する電子メールのタイトルと本文とを取得させる（ステップＳ８）。例えば、数字が１の数字キーが押下げられた場合、宛先取得部１２３は、図８に示すワンタッチキーＤＢ１３を参照して、数字「１」に対応するタイトル「おはよう」と、本文「○○、おはようございます。朝御飯は何でしたか？」とを取得する。【００５８】
次に、メールデータ作成部１２２が、名前取得部１２４に指示して、電子メールの作成画面に設定された名前を取得させる（ステップＳ９）。ステップＳ９においては、名前取得部１２４は、例えば、図６に示すワンタッチキーＤＢ１３を参照して、上記ステップＳ３において押下げられたと判断されたワンタッチキー１００のワンタッチキー番号（例えば、「２」）に対応する名前（例えば、「田中さん」）を取得する。【００５９】
そして、メールデータ作成部１２２が、ステップＳ９において取得された名前をステップＳ８において取得された本文に設定する（ステップＳ１０）。メールデータ作成部１２２は、例えば、上記ステップＳ８において取得された本文「○○、おはようございます。朝御飯は何でしたか？」の「○○」に対応する領域（名前設定領域）に名前「田中さん」を設定し、「田中さん、おはようございます。朝御飯は何でしたか？」という本文を作成する。【００６０】
そして、メールデータ作成部１２２が、上記ステップＳ８において取得されたタイトルと、上記ステップＳ１０において名前が設定された本文とを、それぞれ、送信対象の電子メールのタイトル、本文として設定する（ステップＳ１１）。ステップＳ１１においては、メールデータ作成部１２２は、例えば、図１１（Ａ）に示すように、電子メールの作成画面中のタイトル設定領域２０１に「おはよう」を設定し、本文設定領域２０２に「田中さん、おはようございます。朝御飯は何でしたか？」を設定することで、送信対象の電子メールのタイトルと本文とを該電子メールに設定する。また、ステップＳ１１においては、メールデータ作成部１２２は、図１１（Ａ）中の網かけ部分に示すように、カーソルを「送信する」という表示がされたボタン（送信ボタン）に移動させる。【００６１】
図１１（Ａ）に示すように、電子メールの作成画面中の宛先設定領域２００に電子メールの宛先が設定され、タイトル設定領域２０１に電子メールの本文のタイトルが設定され、本文設定領域２０２に電子メールの本文が設定された状態で、携帯電話１のユーザが送信ボタンを押下げると、該送信ボタンの押下げによる指定入力に従って、メール送信部１２６が、該電子メールを該電子メールの宛先に対して送信する。画面表示部１２１は、例えば、図１１（Ｂ）に示すような、電子メールが送信中であることを示す情報を表示画面１０４に表示する。【００６２】
図９に戻って、ステップＳ３において、メールデータ作成部１２２が、ワンタッチキー１００及び数字キー１０１以外の入力キー１０が押下げられたと判断した場合、メールデータ作成部１２２が、図１中に示す終了キー１０３が押下げられたかを判断する（ステップＳ１２）。メールデータ作成部１２２が、終了キー１０３が押下げられたと判断した場合は、処理を終了する。メールデータ作成部１２２が、終了キー１０３が押下げられていないと判断した場合、メールデータ作成部１２２が、該押下げられた入力キー１０に対応した処理を実行して（ステップＳ１３）、ステップＳ２に戻る。ステップＳ１３においては、例えば、押下げられた入力キー１０が図１中に示すＴＶキー１０５である場合、メールデータ作成部１２２は、画面表示部１２１に指示して、ＴＶ放送を表示画面１０４に表示させる。【００６３】
本発明の一実施形態においては、図９のステップＳ１において、画面表示部１２１が、まず、前述した図５に示すような、電子メールの種類の選択画面を表示し、ユーザの指定入力に従って、該電子メールの種類が選択されると、画面表示部１２１が、図１０（Ａ）に示すような電子メールの作成画面を表示するようにしてもよい。また、図９のステップＳ５において、メールデータ作成部１２２が、宛先取得部１２３に指示して、押下げられたワンタッチキーに対応する電子メールの宛先として、上記選択された電子メールの種類に応じた宛先を取得させるようにしてもよい。【００６４】
例えば、上記電子メールの種類として、メールアドレスを宛先とする電子メールが選択された場合、メールデータ作成部１２２は、宛先取得部１２３に指示して、押し下げられたワンタッチキーに対応する電子メールの宛先として、メールアドレスを取得させる。上記電子メールの種類として、電話番号を宛先とする電子メールが選択された場合、メールデータ作成部１２２は、宛先取得部１２３に指示して、押下げられたワンタッチキーに対応する電子メールの宛先として、電話番号を取得させる。【００６５】
また、本発明の一実施形態によれば、図９のステップＳ８において、宛先取得部１２３が、名前設定領域を持たない電子メールの本文を取得するようにしてもよい。例えば、該ステップＳ８において、宛先取得部１２３が、図７に示すワンタッチキーＤＢ１３から数字キーに対応する電子メールのタイトルと本文を取得する。そして、図９のステップＳ９乃至Ｓ１１の処理に替えて、メールデータ作成部１２２が、該ステップＳ８において取得された電子メールのタイトルと本文とを、送信対象の電子メールのタイトル、本文として設定する処理を実行するようにしてもよい。
【産業上の利用可能性】
【００６６】
本発明の電子メール送信方法及び携帯端末によれば、携帯電話のユーザが、ワンタッチキーの操作によって簡易に電子メールの宛先を設定し、該電子メールを送信することができる。例えば、ユーザは、ワンタッチキーを押下げる操作、数字キーを押下げる操作、電子メールを送信するためのボタン（送信ボタン）を押下げる操作を行うだけで、電子メールの送信先に該電子メールを送信することができる。その結果、電子メールを作成する時の、ユーザの操作回数を大幅に削減することができる。【００６７】
また、本発明の電子メール送信方法及び携帯端末によれば、例えば、数字キーに対応する電子メールの本文として、電子メールの宛先に対応する名前が設定される領域（名前設定領域）を持つ本文を記憶手段に予め記憶させておき、数字キーの押下げをトリガとして該記憶手段内の本文を取得するとともに、既に電子メールの作成画面に設定されている宛先の名前を上記本文中の名前設定領域に設定して、電子メールを自動的に作成することが可能となる。その結果、数字キーに対応付けて特定の送信先宛の本文を記憶させておかなくても、ワンタッチキーの押下げと数字キーの押下げによって、該電子メールの宛先に対する本文を自動的に作成することができる。
【図１】
2009001457.tif 000003
【図２】
2009001457.tif 000004
【図３】
2009001457.tif 000005
【図４】
2009001457.tif 000006
【図５】
2009001457.tif 000007
【図６】
2009001457.tif 000008
【図７】
2009001457.tif 000009
【図８】
2009001457.tif 000010
【図９】
2009001457.tif 000011
【図１０】
2009001457.tif 000012
【図１１】
2009001457.tif 000013
【国際調査報告】
2009001457.tif 000014
2009001457.tif 000015
2009001457.tif 000016
2009001457.tif 000017